(57)【特許請求の範囲】
【請求項１】
ダボとダボ孔とを結合する構造であって、下に位置する家具ユニットの上面にダボを対向して上向きに突設し、上に位置する家具ユニットの下面に上記ダボが遊嵌合するダボ孔を対向して設けるとともに、上記対向するダボの内矩と対向するダボ孔の内矩とが略同一とされ、ダボの内側外面とダボ孔の内側内面は当接し、ダボの外側外面とダボ孔の外側内面は離間したダボ結合の結合構造。
【請求項２】
ダボとダボ孔とを結合する構造であって、下に位置する家具ユニットの上面にダボを上向きに対向して突設し、上に位置する家具ユニットの下面に上記ダボが遊嵌合するダボ孔を対向して設けるとともに、上記対向するダボの外矩と対向するダボ孔の外矩とが略同一とされ、ダボの外側外面とダボ孔の外側内面は当接し、ダボの内側外面とダボ孔の内側内面は離間したダボ結合の結合構造。
【請求項３】
上記上に位置する家具ユニットの下面にダボを対向して下向きに突設するとともに、下に位置する家具ユニットの上面に上記ダボが遊嵌合するダボ孔を対向して設けた請求項１または２に記載のダボ結合の結合構造。
【請求項４】
上記下に位置する家具ユニットが台座であり、上に位置する家具ユニットが洗面キャビネットである請求項１または２に記載のダボ結合の結合構造。
【発明の詳細な説明】
【技術分野】
【０００１】
本発明は、ダボ結合に関する。さらに詳しくは、ダボとダボ孔とからなるダボ結合の結合構造に関する。
【背景技術】
【０００２】
従来、洗面化粧台等、台座の上にキャビネット類を重ねて据え置く家具において、ダボとダボ孔とからなるダボ結合を用いて上記台座とキャビネット類とを上下に連結する構造が知られている。例えば、下記特許文献１には、トイレルームの内壁部に埋め込まれる据置型のトイレ壁面ユニットにおいて、上下に区分した収納部ユニットと他の単体ユニットとをダボ連結材により組合せ自在に連結してなることを特徴とするトイレ壁面ユニットが開示されている。
【特許文献１】実開平４−１５４９５号公報（第１頁、第１図、第２図、第４図）
【発明の開示】
【発明が解決しようとする課題】
【０００３】
上記特許文献１においては、その第１図に示されているように、上部収納ユニット、下部収納ユニット、手洗器部ユニット等の家具ユニットはダボとダボ孔とによって上下に連結され、外部から多少の衝撃が加えられてもずれ落ちることのないように、しっかりと組み合わされている。しかしながら、上記各家具ユニットは４組のダボとダボ孔とによって連結されているため、上と下との家具ユニットの位置を相互に微調整して４個のダボを４個のダボ孔に同時に挿入しなければならず、作業性が悪いという問題がある。
【０００４】
本発明はこのような問題を解決して、ダボとダボ孔との位置合わせが容易で、上に位置する家具ユニットと下に位置する家具ユニットとを作業性よく上下に据え置くことができるダボ結合の結合構造を提供することをその課題とする。
【課題を解決するための手段】
【０００５】
上記課題を解決するために、本発明においては、つぎのような技術的手段を講じている。すなわち、請求項１に記載の第１発明によれば、ダボとダボ孔とを結合する構造であって、下に位置する家具ユニットの上面にダボを対向して上向きに突設し、上に位置する家具ユニットの下面に上記ダボが遊嵌合するダボ孔を対向して設けるとともに、上記対向するダボの内矩と対向するダボ孔の内矩とが略同一とされ、ダボの内側外面とダボ孔の内側内面は当接し、ダボの外側外面とダボ孔の外側内面は離間したダボ結合の結合構造が提供される。上記対向するダボの内矩とは、ダボとダボとの内側間の距離をいい、対向するダボ孔の内矩とは、ダボ孔とダボ孔との内側間の距離をいう。
【０００６】
請求項２に記載の第２発明によれば、ダボとダボ孔とを結合する構造であって、下に位置する家具ユニットの上面にダボを対向して上向きに突設し、上に位置する家具ユニットの下面に上記ダボが遊嵌合するダボ孔を対向して設けるとともに、上記対向するダボの外矩と対向するダボ孔の外矩とが略同一とされ、ダボの外側外面とダボ孔の外側内面は当接し、ダボの内側外面とダボ孔の内側内面は離間したダボ結合の結合構造が提供される。上記対向するダボの外矩とは、ダボとダボとの外側間の距離をいい、対向するダボ孔の外矩とは、ダボ孔とダボ孔との外側間の距離をいう。
【０００７】
請求項３に記載のダボ結合の結合構造は、請求項１または２に記載の発明に加えて、上記上に位置する家具ユニットの下面にダボを対向して下向きに突設するとともに、下に位置する家具ユニットの上面に上記ダボが遊嵌合するダボ孔を対向して設けることも可能である。
【０００８】
請求項４に記載のダボ結合の結合構造は、請求項１または２に記載の発明に加えて上記下に位置する家具ユニットが台座とされ、上に位置する家具ユニットが洗面キャビネットとされる。
【発明の効果】
【０００９】
請求項１に記載の第１発明にかかるダボ結合の結合構造は上記のとおりであり、下に位置する家具ユニットの上面に対向して上向きに突設されたダボが、上に位置する家具ユニットの下面に対向して設けられたダボ孔に遊嵌合するとともに、上記対向するダボの内矩と対向するダボ孔の内矩とが略同一とされているため、例えば、台座と洗面キャビネットとの位置を相互に微調整することなく、台座の上面の片側に突設されたダボを洗面キャビネットの下面に設けられたダボ孔に容易に挿入することができ、その後、上記挿入したダボの内側外面をダボ孔の内側内面に当接するとともに、他の側のダボをダボ孔に挿入することにより、上記台座とキャビネットとは相対的に水平移動することなく、しっかりと据え置くことができる。
【００１０】
請求項２に記載の第２発明にかかるダボ結合の結合構造は上記のとおりであり、下に位置する家具ユニットの上面に対向して上向きに突設されたダボが、上に位置する家具ユニットの下面に対向して設けられたダボ孔に遊嵌合するとともに、上記対向するダボの外矩と対向するダボ孔の外矩とが略同一とされているため、例えば、台座と洗面キャビネットとの位置を相互に微調整することなく、台座の上面の片側に突設されたダボを洗面キャビネットの下面に設けられたダボ孔に容易に挿入することができ、その後、上記挿入したダボの外側外面をダボ孔の外側内面に当接するとともに、他の側のダボをダボ孔に挿入することにより、上記台座とキャビネットとは相対的に水平移動することなく、しっかりと据え置くことができる。
【００１１】
請求項３に記載のダボ結合の結合構造は上記のとおりであり、請求項１または２のダボ結合の結合構造の有する効果に加え、上に位置する家具ユニットの下面にダボを対向して下向きに突設するとともに、下に位置する家具ユニットの上面に上記ダボが遊嵌合するダボ孔を対向して設けることも可能であるため、家具ユニットの種類に応じてダボとダボ孔との位置を上下逆にすることができる。
【００１２】
請求項４に記載のダボ結合の結合構造は上記のとおりであり、請求項１または２のダボ結合の結合構造の有する効果に加え、上記下に位置する家具ユニットを台座とし、上に位置する家具ユニットを洗面キャビネットとすることにより、別々に梱包された台座と洗面キャビネットとを簡単に組み立て、洗面化粧台とすることができる。
【発明を実施するための最良の形態】
【００１３】
以下、本発明の実施形態について図面を参照して、詳細に説明する。図１は上記第１発明にかかるダボ結合の結合構造を洗面化粧台Ａに適用した実施形態を示す一部を破断して示す分解斜視図である。図１において、洗面化粧台Ａの蹴込みとされるとともに、下に位置する家具ユニットとしての台座３の上面にはダボ１が対向して上向きに突設され、このダボ１が遊嵌合するダボ孔２が上に位置する家具ユニットとしての洗面キャビネット４の下面に対向して設けられている。
【００１４】
図２は、上記ダボ１をダボ孔２に結合する状態を示す要部縦断面図であり、図３は、図２におけるＸ−Ｘ線に沿う平断面図である。図２に示されているように、第１発明においては、対向するダボ１とダボ１との内側間の距離（内矩）ａとダボ孔２とダボ孔２との内側間の距離（内矩）ｂとが略同一とされ、また、図３に示されているように、ダボ孔２の直径は、ダボ１が遊嵌合するようにダボ１の直径よりも十分大きく取られている。
【００１５】
上記台座３の上に洗面キャビネット４を据え置くとき、図２、図３に示したように、ダボ１はダボ孔２に遊嵌合するため、台座３と洗面キャビネット４との位置を相互に微調整することなく、片側のダボ１を片側のダボ孔２に簡単に挿入することができる。その後、上記挿入したダボ１の内側外面をダボ孔２の内側内面に当接するとともに、他の側のダボ１をダボ孔２に挿入すれば、対向するダボ１の内矩ａと対向するダボ孔２の内矩ｂとが略同一であるため、ぴったりと納まり、台座３と洗面キャビネット４とは相対的に水平移動することなく、容易に据え置くことができる。
【００１６】
図４は、上記第２発明にかかるダボ１ａをダボ孔２ａに結合する状態を示す要部縦断面図であり、図５は、図４におけるＹ−Ｙ線に沿う平断面図である。図４に示されているように、第２発明においては、対向するダボ１ａとダボ１ａとの外側間の距離（外矩）ｃとダボ孔２ａとダボ孔２ａとの外側間の距離（外矩）ｄとが略同一とされ、また、図５に示されているように、ダボ孔２ａの直径は、ダボ１ａが遊嵌合するようにダボ１ａの直径よりも十分大きく取られている。
【００１７】
上記台座３の上に洗面キャビネット４を据え置くとき、図４、図５に示したように、ダボ１ａはダボ孔２ａに遊嵌合するため、台座３と洗面キャビネット４との位置を相互に微調整することなく、片側のダボ１ａを片側のダボ孔２ａに簡単に挿入することができる。その後、上記挿入したダボ１ａの外側外面をダボ孔２ａの外側内面に当接するとともに、他の側のダボ１ａをダボ孔２ａに挿入すれば、対向するダボ１ａの外矩ｃと対向するダボ孔２ａの外矩ｄとが略同一であるため、ぴったりと納まり、台座３と洗面キャビネット４とは相対的に水平移動することなく、容易に据え置くことができる。
【００１８】
以上、第１発明、第２発明において、下に位置する家具ユニットの上面にダボを上向きに対向して突設し、上に位置する家具ユニットの下面に上記ダボが遊嵌合するダボ孔を対向して設ける形態について述べたが、上に位置する家具ユニットの下面にダボを対向して下向きに突設するとともに、下に位置する家具ユニットの上面に上記ダボが遊嵌合するダボ孔を対向して設ける形態としてもよい。また、図１に示すように、対向するダボとダボ孔とが各１対の例のみならず、２対等、複数対としてもよい。さらに、本発明のダボ結合の結合構造は、上記洗面化粧台のみならず、洋服ダンス、整理ダンス等、台座付きの家具類全般に適用することも可能である。
【図面の簡単な説明】
【００１９】
【図１】第１発明にかかるダボ結合の結合構造を洗面化粧台に適用した実施形態を示す一部破断分解斜視図である。
【図２】第１発明にかかるダボをダボ孔に結合する状態を示す要部縦断面図である。
【図３】図２におけるＸ−Ｘ線に沿う平断面図である。
【図４】第２発明にかかるダボをダボ孔に結合する状態を示す要部縦断面図である。
【図５】図４におけるＹ−Ｙ線に沿う平断面図である。
【符号の説明】
【００２０】
Ａ          洗面化粧台
１          第１発明におけるダボ
２          第１発明におけるダボ孔
１ａ        第２発明におけるダボ
２ａ        第２発明におけるダボ孔
３          台座
４          洗面キャビネット
【図１】
0004736739.tif 000002
【図２】
0004736739.tif 000003
【図３】
0004736739.tif 000004
【図４】
0004736739.tif 000005
【図５】
0004736739.tif 000006